(57)【要約】      （修正有）【課題】スライドレール構造を具えるディスプレイを提供する。【解決手段】スライドレール１３２構造を具えるディスプレイ１を提供し、ディスプレイ１は、後殻１１と、脚構造と、固定部材１３と、滑動部材１４と、少なくとも１つのばね１５と、を含む。そのうち、脚構造は、支持平面と接触する箇所に湾曲形状を呈する弧状構造１２１を含む。固定部材１３は、後殻１１上に固定設置することに用い、少なくとも１つの第１接続部及び少なくとも１つのスライドレールを含む。滑動部材１４は、脚構造を接続することに用い、スライドレール１３２により往復移動することができ、少なくとも１つの第２接続部を含む。ばね１５の両端は、それぞれ第１接続部及び第２接続部と相互に接続する。これにより、脚構造は、滑動部材１４を介して後殻１１上で往復移動し、弧状構造の異なる位置で支持平面と接触し、ディスプレイ１に安置可能な傾斜角度を増加させる。【選択図】図３
2011028266.tif 000002
【特許請求の範囲】
【請求項１】
後殻と、
支持平面と接触する箇所に湾曲形状を呈する弧状構造を含む脚構造と、
該後殻上に固定設置することに用い、少なくとも１つの第１接続部及び少なくとも１つのスライドレールを含む固定部材と、
該脚構造を接続することに用い、該スライドレールの導引により往復移動することができ、少なくとも１つの第２接続部を含む滑動部材と、
両端がそれぞれ該第１接続部及び第２接続部と相互に接続する少なくとも１つのばねと、
これにより、該脚構造は、該滑動部材を介して該後殻上で往復移動し、該弧状構造の異なる位置で支持平面と接触することができ、該ディスプレイに安置する傾斜角度を増加させることができるスライドレール構造を具えるディスプレイ。
【請求項２】
前記第１接続部は、該第２接続部下方に位置し、該ばねは、該第１接続部及び第２接続の間に位置し、該第１接続部、第２接続部に内向きの引っ張り力を施す請求項１に記載のスライドレール構造を具えるディスプレイ。
【請求項３】
前記第１接続部は、該第２接続部上方に位置し、該ばねは、該第１接続部の間に位置し、該第１接続部、第２接続部に外向きの押力を施す請求項１に記載のスライドレール構造を具えるディスプレイ。
【発明の詳細な説明】
【技術分野】
【０００１】
本発明は、ディスプレイに関し、特に、スライドレール構造を具えるディスプレイに関する。
【背景技術】
【０００２】
近年、従来のブラウン管ディスプレイ（俗称ＣＲＴディスプレイ）は、既に徐々に液晶ディスプレイにより取って代わられており、主な原因は、液晶ディスプレイが放出する輻射量がＣＲＴディスプレイより遥かに小さいことであり、また、液晶ディスプレイは、ここ数年の製造コストが著しく低下しており、これも液晶ディスプレイが徐々にテレビ又はコンピュータスクリーン市場の主流となっている原因である。
【０００３】
図１を参照し、図１が示すのは、公知のディスプレイの捻りばね組の説明図である。図１に示すように、該捻りばね組８は、固定部材８３及び転動部材８６を含み、該固定部材８３及び該転動部材８６が結合する箇所に２つのばね８５を設置し、該固定部材８３に該転動部材８６からの転動モーメントを受けることができるようにする。該捻りばね組８をディスプレイ（図示せず）に応用する時、該固定部材８３を該ディスプレイ内に固定設置することができ、更に、該転動部材８６を脚構造８２と接続固定し、該転動部材８６の回転を介して、該脚構造８２を異なる位置に調整することができ、更に、該ディスプレイを異なる傾斜角度で卓上に安置させる。但し、該捻りばね組８にディスプレイの重量を受けさせようとする場合、該ばね８５の弾性係数を増大させ、該ばね８５の巻き数及び巻き付けの外径を増加する必要があり、このようにして始めて該捻りばね組８に十分な転動モーメントを提供させることができる。しかしながら、これは、該捻りばね組８の体積を増大し、該ディスプレイの薄型化に不利である。また、捻りばね組８を使用するディスプレイは、使用者に片手で該ディスプレイを推し傾けさせるのに便利でなく、使用上依然として不便な所がある。
【０００４】
図２を参照し、図２は、公知のディスプレイの定荷重ばね組の説明図である。図２に示すように、該定荷重ばね９は、フレーム体９７と、スライドレール組９８と、転動部材９６と、を含み、該スライドレール組９８は、該フレーム体９７に相対して往復した上下移動をすることができる。該スライドレール９８及び該転動部材９６が結合する箇所に転動軸９６１を設置し、該転動部材９６を該スライドレール組９８に相対して転動させ、異なる安置角度を呈させることができる。該定荷重ばね組９をディスプレイ（図示せず）に応用する時、該フレーム体９７を該ディスプレイ内に固定設置することができ、更に該転動部材９６を脚構造９２と接続固定し、該スライドレール組９８の上下移動及び該転動部材９６の転動を介して、該脚構造９２を異なる位置に調整することができ、更に、該ディスプレイを異なる傾斜角度で卓上に安置させる。しかしながら、定荷重ばね組９は、高価過ぎ、且つ比較的大きな空間を必要とし、ディスプレイの薄型化に不利であり、且つ構成部品が多く、複雑すぎるので、故障率が高く、メンテナンスが容易でない。
【０００５】
従って、脚構造の結合箇所の使用空間を如何に改善し、安価で簡単な構造とし、ディスプレイを片手で推し動かすことができるようにし、且つ大きな傾斜角度の機能を有するようにするかは、当業者の努力の目標である。
【発明の概要】
【発明が解決しようとする課題】
【０００６】
本発明の目的は、脚構造の結合箇所の使用空間を改善し、ディスプレイの薄型化の目標を達成することにある。
【０００７】
本発明のもう１つの目的は、ディスプレイの脚構造の結合箇所の使用部品を簡易化し、比較的安価で、比較的簡単な構造でディスプレイを片手で推し動かし、傾けることができる機能を達成することにある。
【０００８】
本発明の更にもう１つの目的は、ディスプレイに大きな傾斜角度の機能を持たせることにある。
【課題を解決するための手段】
【０００９】
上記目的を達成する為、本発明は、スライドレール構造を具えるディスプレイを提供し、該ディスプレイは、後殻と、脚構造と、固定部材と、滑動部材と、少なくとも１つのばねと、を含む。そのうち、該脚構造は、支持平面と接触する箇所に湾曲形状を呈する弧状構造を含む。該固定部材は、該後殻上に固定設置することに用い、該固定部材は、少なくとも１つの第１接続部及び少なくとも１つのスライドレールを含む。該滑動部材は、該脚構造を接続することに用い、該滑動部材は、該スライドレールの導引により往復移動することができ、該滑動部材は、少なくとも１つの第２接続部を含む。該ばねの両端は、それぞれ該第１接続部及び第２接続部と相互に接続する。これにより、該脚構造は、該滑動部材を介して該後殻上で往復移動し、該弧状構造の異なる位置で支持平面と接触することができ、該ディスプレイに安置可能な傾斜角度を増加させる。
【００１０】
上記スライドレール構造を具えるディスプレイは、そのうち、該スライドレール及び該滑動部材が接触する箇所に潤滑膜層を設置し、該潤滑膜層の材質は、テフロン、不織布又は耐磨耗低摩擦係数製品であり、これにより、滑動の摩擦抵抗力を低減し、滑動を更に円滑にすることができる。
【００１１】
上記スライドレール構造を具えるディスプレイは、そのうち、該弧状構造の形状が円弧、楕円弧又は変曲率の弧形であり、且つその外表が粗い表面を有するか一層の滑り止めパッドを貼付し、滑り止めの効果を達成することに用いる。
【００１２】
上記スライドレール構造を具えるディスプレイは、そのうち、該第１接続部又は該第２接続部がフック状を呈し、該ばねの端部を該第１接続部又は該第２接続部にフックさせる。
【００１３】
上記スライドレール構造を具えるディスプレイは、そのうち、該ばねと、第１接続部及び第２接続部の数量が何れも２以上の偶数であり、且つ各ばねの両端がそれぞれ第１接続部及び第２接続部と相互に接続し、該偶数個のばねと、第１接続部と、第２接続部と、がそれぞれ該滑動部材の左右両側に位置し、対称状態を呈する。これにより、数量が比較的多いばねは、より大きな寸法、重量のディスプレイを載置することに用いることができ、該ばねと、第１接続部と、第２接続部と、は左右対称に配置され、滑動時の左右に受ける力の不均一を防止することができる。
【００１４】
上記スライドレール構造を具えるディスプレイは、そのうち、該第１接続部が該第２接続部下方に位置し、該ばねが該第１接続部及び第２接続部の間に位置し、該第１接続部及び第２接続部に内向きの引っ張り力を施し、該脚構造又は該滑動部材が力を受け、上向きに移動する時、該第１接続部及び第２接続部が該ばねに対して外向きの引っ張り力を施す。
【００１５】
上記スライドレール構造を具えるディスプレイは、そのうち、該第１接続部が該第２接続部上方に位置し、該ばねが該第１接続部及び第２接続部の間に位置し、該第１接続部及び第２接続部に外向きの押力を施し、該脚構造又は該滑動部材が力を受け、上向きに移動する時、該第１接続部及び第２接続部が該ばねに対して内向きの圧縮力を施す。
【００１６】
上記スライドレール構造を具えるディスプレイは、更に、少なくとも１つの制限ブロックを有し、該制限ブロックは、該固定部材又は該後殻上に設置され、該滑動部材の移動距離を限定し、該滑動部材が該スライドレールから離脱することを防止する。
【発明の効果】
【００１７】
本発明のスライドレールを具えるディスプレイは、簡単な構造で、該ディスプレイに比較的大きな傾斜角度を持たせ、且つその構造が空間を占有せず、ディスプレイの薄型化の要求を達成することができる。また、この設計は、構造が簡単であるので、故障率が低く、信頼性を高くし、製造及びメンテナンスコストを低下させる。更に、使用者に簡単に片手で該ディスプレイを必要な傾斜角度に推し倒させることができ、使用上の利便性を大幅に向上する。また、該ディスプレイ内の複数のばねが比較的大きな積載能力を提供することができるので、大きな寸法のディスプレイに適用することができる。従って、本発明のスライドレール構造を具えるディスプレイは、多項の利点を有し、極めて大きな実用価値を有する。
【図面の簡単な説明】
【００１８】
【図１】公知のディスプレイの捻りばね組の説明図である。
【図２】公知のディスプレイの定荷重ばね組の説明図である。
【図３】本発明のスライドレール構造を具えるディスプレイのばねが力を受けない時の説明図である。
【図４】本発明のスライドレール構造を具えるディスプレイのばねが力を受ける時の説明図である。
【図５Ａ】本発明のスライドレール構造を具えるディスプレイが力を受けない時の安置説明図である。
【図５Ｂ】本発明のスライドレール構造を具えるディスプレイが力を受ける時の安置説明図である。
【図６】本発明のスライドレール構造を具えるディスプレイのもう１つの実施例の説明図である。
【図７】本発明のスライドレール構造を具えるディスプレイの更にもう１つの実施例の説明図である。
【発明を実施するための形態】
【００１９】
本発明の目的、特徴及び効果を分かり易くする為、以下に具体的実施例を挙げ、図面に併せて本発明を詳細に説明する。
【００２０】
図３を参照し、図３が示すのは、本発明のスライドレール構造を具えるディスプレイのばねが力を受けない時の説明図である。図３に示すように、該ディスプレイ１は、後殻１１と、脚構造１２と、固定部材１３と、滑動部材１４と、２つのばね１５と、を含む。そのうち、該固定部材１３は、複数の螺子１３１を利用し、該固定部材１３の角を該後殻１１上に堅固に固定し、該固定部材１３は、２つのスライドレール１３２及び２つのフック状の第１接続部１３３を含む。該滑動部材１４は、該固定部材１３に隣接して設置され、且つ該滑動部材１４は、該脚構造１２と螺子１４１を介して堅固に固定される。該脚構造１２の下縁は、湾曲形状の弧状構造１２１を含み、ここで、該弧状構造１２１の形状は、円弧形であるが、その他の実施例において、該弧状構造１２１は、楕円弧又は変曲率の弧形であることもできる。該脚構造１２及び該滑動部材１４は、スライドレール１３２の導引により往復して上下移動することができる。該滑動部材１４は、更に２つのフック状の第２接続部１４３を含む。該ばね１５の両端は、それぞれフック状を呈する第１接続部１３３及び第２接続部１４３の箇所にフックし、各ばね１５の両端をそれぞれ第１接続部１３３及び第２接続部１４３と相互に接続させる。また、２つのばね１５は、それぞれ該滑動部材１４の左右両側に設置され、且つ２つのばね１５と、２つの第１接続部１３３と、２つの第２接続部１４３と、は該滑動部材１４を中心とし、左右対称を呈し、滑動時の左右に受ける力の不均一の状況が発生することを防止することができる。これにより、使用者は、該ディスプレイ１を持ち上げる時、該２つのばね１５の弾力を利用し、該第１接続部１３３が該第２接続部１４３と相互に接近し、該滑動部材１４に該ばね１５の下向の引っ張り力を受けさせ、該脚構造１２を該ディスプレイ１の下半部に移動させる。
【００２１】
続いて、図３及び図４を同時に参照し、図４は、本発明のスライドレールを具えるディスプレイのばねが力を受ける時の説明図である。図４に示すように、使用者が手で該ディスプレイ１を押し倒す時、該脚構造１２が力を受け、該ディスプレイ１の上半部に向けて移動し、該滑動部材１４に上向きに該第２接続部１４３を連動させ該２つのばね１５を引き伸ばす。最後に、使用者が該ディスプレイ１を再度持ち上げる時、該２つのばね１５の引っ張り力を受けることにより、該滑動部材１４及び該脚構造１２は、ディスプレイ１の下半部に自動弾性回復する。即ち、本実施例において、該第１接続部１３３は、該第２接続部１４３下方に位置し、該ばね１５は、該第１接続部１３３及び第２接続部１４３の間に位置し、該第１接続部１３３及び第２接続部１４３に内向きの引っ張り力を施し、該脚構造１２又は該滑動部材１４が力を受け、上向きに移動する時、該第１接続部１３３及び第２接続部１４３が該ばね１５に対して外向きの引っ張り力を施す。外力が消失時、該ばね１５は、回復力を利用し、該脚構造１２及び該滑動部材１４を引き動かし、下向きに移動させる。これにより、本発明のスライドレール構造を具えるディスプレイ１は、簡単な構造を用いて、該脚構造１２をディスプレイ１の上下方向に往復移動させることができ、該脚構造１２の上下移動距離の極大化を達成し、該ディスプレイ１は、比較的大きな傾斜角度を有することができる。また、本発明の設計は、扁平化した構造であるので、比較的空間を占有せず、ディスプレイ１の薄型化の要求を満足することができる。更に、本発明の構造は、その構成する部品が多くなく、構造が簡単であるので、故障率が低く、信頼性が高く、製造及びメンテナンスコストも低減することができる。
【００２２】
また、使用者が手で該ディスプレイ１を推し動かし傾ける時、該脚構造１２及び該滑動部材１４は、ディスプレイ１の上半部に移動する。しかしながら、この推し動かす力量は、該滑動部材１４に該スライドレール１３２に対して転動のモーメントを発生させ、該滑動部材１４及び該スライドレール１３２間の摩擦抵抗力を増加し、滑動を円滑でなくする。該滑動部材１４の該スライドレール１３２内の上下移動を円滑で障害がないようにし、当業者は、２つのスライドレール１３２及び該滑動部材１４が接触する箇所に２つの潤滑膜層１４２を設置し、該潤滑膜層１４２の材質がテフロン、不織布又は耐磨耗低摩擦計数製品であることができる。このように、滑動部材１４及びスライドレール１３２間の摩擦抵抗力を低減し、滑動をより円滑にすることができ、更に、使用者に簡単に手で該ディスプレイ１を押し倒し傾けさせる。
【００２３】
続いて、図５Ａ及び図５Ｂを同時に参照し、図５Ａが示すのは、本発明のスライドレール構造を具えるディスプレイの力を受けない時の安置説明図であり、図５Ｂが示すのは、本発明のスライドレール構造のディスプレイの力を受ける時の安置説明図である。図に示すように、湾曲形状を呈する弧状構造１２１は、支持平面と接触することに用いる。本実施例において、該弧状構造１２１は、円環であり、該支持平面が地面、卓面又はその他の任意の平面であることができる。この設計を利用し、該ディスプレイ１の脚構造１２は、該後殻１１上で往復移動することができ、且つ該弧状構造１２１の円環は、異なる位置を用いて支持平面と接触させることができるので、使用者は、簡単に片手で該ディスプレイ１を必要な傾斜角度に押し倒し、該ディスプレイ１を持ち上げてその傾斜する角度を調整する必要がなく、使用上の利便性を大幅に増加する。
【００２４】
また、ディスプレイの寸法が大きくなり、重量が重くなる時、本発明の設計は、依然としてその比較的重いディスプレイに適用することができる。図６を参照し、図６が示すのは、本発明のスライドレールを具えるディスプレイの他の実施例の説明図である。図６に示すように、該ディスプレイ２は、後殻２１と、脚構造２２と、固定部材２３と、滑動部材２４と、４つのばね２５と、を含む。そのうち、該固定部材２３は、４つの第１接続部２３３を含み、該滑動部材２４は、４つの第２接続部２４３を含み、各ばね２５の両端は、それぞれ第１接続部２３３及び第２接続部２４３と相互に接続する。このように、本実施例の構造は、比較的多くのばね２５を有するので、比較的大きな積載能力を提供することができ、比較的大きな寸法のディスプレイ２に適用することができ、該ディスプレイ２の厚さを増加する必要がない。しかしながら、当業者は、更に該ばね２５と、第１接続部２３３と、第２接続部２４３と、の数量を６個、８個、更には１０個以上に増加することができ、より大きな寸法、重量のディスプレイ２を積載する。
【００２５】
最後に、図７を参照し、図７が示すのは、本発明のスライドレール構造を具えるディスプレイの更にもう１つの実施例の説明図である。図７に示すように、本発明のスライドレール構造を具えるディスプレイ３は、後殻３１と、脚構造３２と、固定部材３３と、滑動部材３４と、ばね３５と、を含む。該脚構造３１は、変曲率の円弧曲線状を呈し、且つその末端に弧状構造３２１を設置し、該弧状構造３２１は、異なる位置で支持平面と接触することができ、且つその外表が粗い表面を有するか一層の滑り止めパッド（図示せず）を貼付するので、滑り止めの効果を有する。該固定部材３３は、スライドレール３３２と、第１接続部３３３と、制限ブロック３３４と、を含み、２つの螺子３３１により該後殻３１の内部に固定設置する。該滑動部材３４の下方に第２接続部３４３を含む。該脚構造３２は、該滑動部材３４の移動に従い、伴って上下移動することができる。そのうち、該第１接続部３３３は、該第２接続部３４３上方に位置し、該ばね３５は、該第１接続部３３３及び第２接続部３４３の間に配置し、該第１接続部３３３、第２接続部３４３に外向きの押圧力量を施し、該脚構造３２又は該滑動部材３４が力を受け、上向きに移動する時、該第１接続部３３３及び第２接続部３４３の該ばね３５に対して内向きの圧縮力量を施し、該ばね３５を押圧することに用いる。外力を消失する時、該ばね３５は、回復力を利用し、該第１接続部３３３及び第２接続部３４３を外面向きに押圧することができるので、該脚構造３２及び該滑動部材３４は、下向きに移動することができる。また、該制限ブロック３３４は、該滑動部材３４下方に設置され、該滑動部材３４が下向きに移動する時、該滑動部材３４の滑動距離を限定することに用い、該滑動部材３４が該スライドレール３３２から離脱することを防止する。本実施例において、該制限ブロック３３４は、該固定部材３３と一体に成型した構造であるが、当業者は、該制限ブロック３３４を該後殻３１上に設置することもでき、滑動距離を制限する目的を達成することができる。
【００２６】
上記のように、本発明のスライドレール構造を具えるディスプレイは、簡単な構造で、該ディスプレイに比較的大きな傾斜角度を具えさせ、且つその構造が空間を占有せず、ディスプレイの薄型化の要求を達成することができる。また、この設計は、構造が簡単であることにより、故障率が低く、信頼性が高くなり、製造及びメンテナンスコストを低減させる。更に、使用者に該ディスプレイを簡単に片手で必要な傾斜角度に押し倒し、使用上の利便性を大幅に向上する。また、該ディスプレイ内の複数のばねが比較的大きな積載能力を提供することができるので、大きな寸法のディスプレイに適用することができる。従って、本発明のスライドレール構造を具えるディスプレイは、複数の利点を有し、極めて大きな実用価値を有する。
【００２７】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２８】
＜公知＞
８  捻りばね組
８２  脚構造
８３  固定部材
８５  ばね
８６  転動部材
９  定荷重ばね組
９２  脚構造
９６  転動部材
９６１  転動軸
９７  フレーム体
９８  スライドレール組
＜本発明＞
１，２，３   ディスプレイ
１１，２１，３１  後殻
１２，２２，３２  弧状構造
１３，２３，３３  固定部材
１３１，３３１  螺子
１３２，３３２  スライドレール
１３３，２３３，３３３  第１接続部
１４，２４，３４  滑動部材
１４１  螺子
１４２  潤滑膜層
１４３，２４３，３４３  第２接続部
１５，２５，３５  ばね
【図１】
2011028266.tif 000003
【図２】
2011028266.tif 000004
【図３】
2011028266.tif 000005
【図４】
2011028266.tif 000006
【図５Ａ】
2011028266.tif 000007
【図５Ｂ】
2011028266.tif 000008
【図６】
2011028266.tif 000009
【図７】
2011028266.tif 000010